(57)【要約】【課題】嵩張らずコンパクト化できて軽く、持ち運びが楽でありながら多くのイカ角を収容でき、さらにイカ角を収容したままで掃除が簡単にできるイカ角投入機を提供する。【解決手段】取付け用基端部5から先端側へ向けて板状主要部6が設けられた主部材4と、主部材の先端縁41から主要部6に入り込んで切欠形成されるスリット60と、スリット60が形成された主要部6の両スリット縁61沿いに、主要部6に対しその板幅方向が起立するようにして設けられる一対の帯板部7とを具備し、イカ角9の軸部91を両帯板部7間及びスリット60に遊挿し、且つ一対の帯板部7の両上縁部分71が、軸部91の先端部から外方に向け軸部基端91a側へ下降傾斜する針部92の針長手方向でその中間部位に当接してイカ角9を受け支えるよう、両帯板部7が配設される。【選択図】図１
2013000082.tif 000002
【特許請求の範囲】
【請求項１】
取付け用基端部(5)から先端側へ向けて板状主要部(6)が設けられた主部材(4)と、該主部材(4)の先端縁(41)から該主要部(6)に入り込んで切欠形成されるスリット(60)と、該スリット(60)が形成された前記主要部(6)の両スリット縁(61)沿いに、該主要部(6)に対しその板幅方向が起立するようにして設けられる一対の帯板部(7)と、を具備し、イカ角(9)の軸部(91)を両帯板部(7)間及び前記スリット(60)に遊挿し、且つ一対の該帯板部(7)の両上縁部分(71)が、該軸部(91)の先端部から外方に向け軸部基端(91a)側へ下降傾斜する針部(92)の針長手方向でその中間部位に当接して該イカ角(9)を受け支えるよう、両帯板部(7)が配設されることを特徴とするイカ角投入機。
【請求項２】
前記スリット縁(61)から前記両帯板部(7)がその上縁部分(71)に向けて両帯板部(7)間の幅を狭めるよう内方へ傾倒する請求項１記載のイカ角投入機。
【請求項３】
前記主要部(6)を平板部にして、その平板部に、切欠幅を一定にした細長Ｕ字状の前記スリット(60)が互いの間隔をあけて平行に複数形成され、且つ各スリット(60)をつくる前記主要部(6)の両スリット縁(61)沿いに、一対の前記帯板部(7)が両板幅を等しくして設けられる請求項１又は２に記載のイカ角投入機。
【請求項４】
前記基端部(5)に突出形成される球状体(51)と、取付け固定具(1)の先端に軸体(11b)を介して設けられる球体(11c)と、一対のプレート体(21,22)に係る両プレート(21P,22P)に、該球体(11c)の球径よりも小さな円孔(21a,22a)と前記球状体(51)の球径よりも小さな円状孔(21b,22b)を開孔し、さらに一のプレート(21P)には該円孔(21a)と該円状孔(21b)の中間域板部に雌ねじ部(21d)が設けられる一方、他のプレート(22P)には前記雌ねじ部(21d)に対応する位置に通孔(22c)が設けられる挟着具(2)と、ねじ回し用把手(31)の中央部位に突出する雄ねじ部(32)を備えた止具(3)と、をさらに具備し、一対のプレート体(21,22)の両円状孔(21b,22b)の間に前記球状体(51)を配すると共に両円孔(21a,22a）の間に前記球体(11c)を配して、前記通孔(22c)に貫通させた該雄ねじ部(32)を前記雌ねじ部(21d)に螺合させることにより、一対のプレート(21,22)が前記球状体(51)及び前記球体(11c)を挟着保持するようにした請求項１乃至請求項３のいずれか１項に記載のイカ角投入機。
【発明の詳細な説明】
【技術分野】
【０００１】
本発明は釣糸にイカ角を所定ピッチで複数取付けてイカ釣りを行うのに使用されるイカ角投入機に関する。
【背景技術】
【０００２】
イカ角は、「いか釣りに使う疑似針をいう。いか類が腕（足）で餌を抱き込むように捕捉する習性を利用したもので、一般に針部と軸部と上下端の釣糸結着用リングからなる。」（日本水産学会編,「水産学用語辞典」,1989）。イカ角を用いたイカ釣りでは、イカ角がハリスを介して釣糸に所定ピッチで複数取付けられて、釣糸先端に取着したオモリを投入することによって、各イカ角が順次海中に沈められていき、イカ釣りがスタートする。
この種のイカ釣りでは、複数在るイカ角や釣糸が絡まないようにしなければならず、これまでその対策を講じた発明がいくつか提案されている（特許文献１,２）。
【先行技術文献】
【特許文献】
【０００３】
【特許文献１】特開２００３−２３９４０公報
【特許文献２】特開２０００−２４５３１９公報
【発明の開示】
【発明が解決しようとする課題】
【０００４】
しかるに、特許文献１のイカ角投入機たるイカ釣り針保持具や、特許文献２の釣針イカヅノ投入装置は、イカ角の数だけマグネットやイカズノ投入筒が必要で、装置が大掛かりで持ち運びに不便であった（第１の問題点）。また、商品名「イカ・からまん」(http://www.regar-m.jp/book/）のステンレス製品（文献３）が商品化されているが、これも同じくイカ角の数だけパイプが必要で、嵩張り且つ重量的に重く持ち運びに不便であった。
さらに、特許文献１,２や文献３の製品は、いずれもイカ釣りを終えて収納した状態下での掃除がしづらかった（第２の問題点）。イカ角はイカ墨で汚されることが多いが、特許文献１,２や文献３の製品は収納状態下で掃除するには無理があった。
【０００５】
本発明は、上記問題を解決するもので、嵩張らずコンパクト化できて軽く、持ち運びが楽でありながら多くのイカ角を収容でき、さらにイカ角を収容したままで掃除が簡単にできるイカ角投入機を提供することを目的とする。
【課題を解決するための手段】
【０００６】
上記目的を達成すべく、請求項１に記載の発明の要旨は、取付け用基端部(5)から先端側へ向けて板状主要部(6)が設けられた主部材(4)と、該主部材(4)の先端縁(41)から該主要部(6)に入り込んで切欠形成されるスリット(60)と、該スリット(60)が形成された前記主要部(6)の両スリット縁(61)沿いに、該主要部(6)に対しその板幅方向が起立するようにして設けられる一対の帯板部(7)と、を具備し、イカ角(9)の軸部(91)を両帯板部(7)間及び前記スリット(60)に遊挿し、且つ一対の該帯板部(7)の両上縁部分(71)が、該軸部(91)の先端部から外方に向け軸部基端(91a)側へ下降傾斜する針部(92)の針長手方向でその中間部位に当接して該イカ角(9)を受け支えるよう、両帯板部(7)が配設されることを特徴とするイカ角投入機にある。
請求項２の発明たるイカ角投入機は、請求項１で、スリット縁(61)から前記両帯板部(7)がその上縁部分(71)に向けて両帯板部(7)間の幅を狭めるよう内方へ傾倒することを特徴とする。請求項３の発明たるイカ角投入機は、請求項１又は２で、主要部(6)を平板部にして、その平板部に、切欠幅を一定にした細長Ｕ字状の前記スリット(60)が互いの間隔をあけて平行に複数形成され、且つ各スリット(60)をつくる前記主要部(6)の両スリット縁(61)沿いに、一対の前記帯板部(7)が両板幅を等しくして設けられることを特徴とする。請求項４の発明たるイカ角投入機は、請求項１〜３で、主部材(4)の長手方向に対し、前記基端部(5)から垂直に突出する軸部材(50)を介して設けられる球状体(51)と、取付け固定具(1)の先端に軸体(11b)を介して設けられる球体(11c)と、一対のプレート体(21,22)に係る両プレート(21P,22P)に、該球体(11c)の球径よりも小さな円孔(21a,22a)と前記球状体(51)の球径よりも小さな円状孔(21b,22b)を開孔し、さらに一のプレート(21P)には該円孔(21a)と該円状孔(21b)の中間域板部に雌ねじ部(21d)が設けられる一方、他のプレート(22P)には前記雌ねじ部(21d)に対応する位置に通孔(22c)が設けられる挟着具(2)と、ねじ回し用把手(31)の中央部位に突出する雄ねじ部(32)を備えた止具(3)と、をさらに具備し、一対のプレート体(21,22)の両円状孔(21b,22b)の間に前記球状体(51)を配すると共に両円孔(21a,22a）の間に前記球体(11c)を配して、前記通孔(22c)を貫通した該雄ねじ部(32)を前記雌ねじ部(21d)に螺合させることにより、一対のプレート(21,22)が前記球状体(51)及び前記球体(11c)を挟着保持するようにしたことを特徴とする。
【発明の効果】
【０００７】
本発明のイカ角投入機は、その投入機全体が従来品に比べ軽量にして数多くのイカ角をセットできる一方で、小さくコンパクト化でき、しかも、イカ角を収容,セットした状態でそのまま掃除が可能で使い勝手が良く、さらにはイカ角器たる主部材の高さや角度の微調整が簡単にでき、且つ各部品の脱落防止に優れる組付け構造になっているなど多大な効を奏する。
【図面の簡単な説明】
【０００８】
【図１】実施形態１で、イカ角投入機の斜視図である。
【図２】(イ)がイカ角投入機へイカ角を挿入する際の一姿態を示す概略正面図、(ロ)がイカ角投入時のイカ角投入機の一姿態を示す概略正面図である。
【図３】主部材の平面図である。
【図４】図３のIV-IV線矢視図である。
【図５】図４の主部材にイカ角を複数セットした仕掛けの説明断面図である。
【図６】取付け固定具と主部材を接続する挟着具,止具周りの分解斜視図である。
【図７】図４のVII-VII線矢視図である。
【図８】(イ)が基軸の下部周りの斜視図、(ロ),(ハ)は(イ)に代わる別態様の斜視図である。
【図９】(イ)がプレートと球状体周りの拡大図、(ロ)が円状孔周りのプレートの拡大図、(ハ)がプレートで球状体を挟んだ後、止具で締付けた状態の拡大図である。
【図１０】持ち運び時におけるイカ角投入機の一姿態を示す概略正面図である。
【図１１】実施形態２で、イカ角投入機に係る主部材の斜視図である。
【図１２】主部材の平面図である。
【図１３】(イ)がイカ角投入機へイカ角を挿入する際の一姿態を示す概略正面図、(ロ)がイカ角投入時のイカ角投入機の一姿態を示す概略正面図である。
【図１４】(イ)が舟の移動時におけるイカ角投入機の一姿態を示す概略正面図、(ロ)が持ち運び時におけるイカ角投入機の一姿態を示す概略正面図である。
【図１５】釣竿用主部材が取着された別体の主部材付き取付け固定具の概略正面図である。
【発明を実施するための形態】
【０００９】
以下、本発明に係るイカ角投入機について詳述する。
（１）実施形態１
図１〜図１０は本発明のイカ角投入機の一形態で、図１はその全体斜視図、図２は(イ)がイカ角挿入時の概略正面図、(ロ)がイカ角投入時の概略正面図、図３が主部材の平面図、図４が図３のIV-IV線矢視図、図５が図４の主部材にイカ角を複数セットした仕掛けの説明断面図、図６が取付け固定具と主部材を接続する挟着具,止具周りの分解斜視図、図７が図４のVII-VII線矢視図、図８は(イ)が基軸の下部の斜視図、(ロ),(ハ)は(イ)に代わる別態様の斜視図、図９は(イ)がプレートと球状体周りの拡大図、(ロ)が円状孔周りプレートの拡大図、(ハ)がプレートで球状体を挟んだ後、止具で締付けた状態の拡大図、図１０は持ち運び時におけるイカ角投入機の一姿態を示す概略正面図を示す。尚、図５のイカ角は図１〜図４のイカ角とは異なる別態様品を示す。
イカ角投入機Ｐは、取付け固定具１と挟着具２と止具３と主部材４とを具備する。イカ釣りでイカ角９を複数有する仕掛けを投入できる状態で保持可能な主部材４が、挟着具２,止具３を介して取付け固定具１に角度調整自在に取付けられる(図２,図３)。
【００１０】
取付け固定具１は、基軸１０と係合部１１と突片１２と被挿入部材１３と締付けハンドル１４と付勢バネ１５とを備える。取付け固定具１を船縁等の被取付部Ｆに固着すると、図２,図３のような主部材４を釣具(イカ角投入器)の使用状態にでき、基軸１０の上端に係合部１１が配され、被挿入部材１３,締付けハンドル１４は突片１２よりも下方に配設される。尚、本発明でいう「下方」とは、図２の使用状態にあるイカ角投入機Ｐで、その紙面下方をいい、「上方」とはその紙面上方をいう。水平とは図２の紙面左右方向をいう。
【００１１】
基軸１０はアーム状体で、本実施形態は金属製パイプからなる。基軸１０の下部にはパイプ長手方向に小孔１０ａが所定ピッチで複数設けられる。取付け固定具１の先端(上端)に挟着具２に係合する球体１１ｃを備えた係合部１１が設けられる。ここでは、円板１１ａと軸体１１ｂと球体１１ｃとからなる金属製係合部１１が基軸１０の先端面(上端面)に固着される。基軸１０のパイプ径に等しい円板１１ａを基軸１０先端に溶接固定し、該円板１１ａに立設する軸体１１ｂの先端に軸径よりも球径の大きい球体１１ｃが一体形成される。球体１１ｃの球径は基軸１０のパイプ径に等しくするか又は大きく設定される。取付け固定具１への挟着具２の取付けが円滑実施でき且つ安定するからである。
基軸１０の上端寄りには板状固定部１２ａを固着した金属製突片１２が設けられる。突片１２の矩形平板部１２ｂが、その板面を垂直に配される基軸１０の軸方向に対し直交する水平状態にして、基軸外方へ突出する。
【００１２】
取付け固定具１の被挿入部材１３は、円筒体１３ａと立板片１３ｂとナット１３ｃを備えた金属製部品である(図１)。短筒状の円筒体１３ａは、その筒内径が基軸１０の軸径(パイプ外径)よりもやや大きく設定される。円筒体１３ａの下端寄りにピン１３ａ１が固着され、該ピン１３ａ１は円筒体１３ａの内面から内方へ突出し、前記小孔１０ａに挿入して円筒体１３ａを基軸１０に係止させる長さを有する。また、ピン１３ａ１と反対側に位置する円筒体１３ａの下端寄りには軸材１３ａ２が固着され(図８のイ)、前記小孔１０ａの反対側パイプ面に設けた長孔１０ｂに遊挿される。被挿入部材１３が基軸１０に対し回転しないようにし、さらに基軸１０からの被挿入部材１３の脱落を防ぐためである。尚、図８(ロ),(ハ)のごとく基軸１０を角筒や平面視蒲鉾形の基軸１０を採用すると、基軸１０の回転防止が可能で、軸材１３ａ２,長孔１０ｂを省けるようになりより好ましくなる。
円筒体１３ａの筒外面には、その筒長方向に板面方向を合わせて、立板片１３ｂが立設し、その突端にナット１３ｃが溶接固定される。ナット１３ｃの雌ねじ孔の孔方向は基軸１０の軸方向に一致させる。
【００１３】
取付け固定具１の締付けハンドル１４は、手で握って回すことのできるノブ１４ａと、該ノブの中央に立設する雄ねじ部１４ｂと、該雄ねじ部の先端に設けられる円板状押え板１４ｃとを備える。雄ねじ部１４ｂが前記ナット１３ｃに螺合して、図１のごとくナット１３ｃの上方へ突出する雄ねじ部１４ｂの先端に押え板１４ｃが固着される。
【００１４】
取付け固定具１の付勢バネ１５は、立板片１３に形成された小孔１０ａにピン１３ａ１を挿入した状態で、基軸１０に遊挿された円筒体１３ａを該バネ１５の付勢力で傾倒させ、基軸１０に円筒体１３ａを係止させる役割を担う。本実施形態は、図１のようなコ字形線材の先端部分を屈曲し対向させてなる金属製バネになっている。付勢バネ１５はコ字形線材をその弾性に抗して捩った状態で、基端部分を立板片１３ｂよりも上方の基軸１０に当接させる一方、コ字形線材先端の両対向部分を立板片１３ｂに設けた透孔１３ｂ１,１３ｂ２に挿着して(図１)、基軸１０に遊挿状態にある円筒体１３ａを図１の矢印方向に傾倒させる。ピン側円筒体１３ａの部分では、円筒体１３ａの下縁を基軸１０へ押し付け、該下縁から円筒体１３ａの上縁へ上昇するにつれ外方へ傾倒する。その結果、ピン１３ａ１が小孔１０ａに挿入した箇所で、基軸１０に遊挿状態にある円筒体１３ａであっても、円筒体１３ａがガタツキなく基軸１０に係止固定される。ピン１３ａ１が挿入する小孔１０ａの位置を変更したい場合は、図１の矢印方向と反対の力を、被挿入部材１３(又はこれに螺合する締付けハンドル１４)に加えて小孔１０ａからピン１３ａ１を外し、その後、希望する新たな小孔１０ａの箇所で加えていた力を解除する。この力の解除によって、付勢バネ１５の付勢力で再び新たな小孔１０ａにピン１３ａ１が挿着し、さらに付勢バネ１５の付勢力で基軸１０への円筒体１３ａ,被挿入部材１３の係止,固定が図られる。
【００１５】
上記構成の取付け固定具１は、係合部１１を上方位置に配し、締付けハンドル１４の雄ねじ部１４ｂを緩めて押え板１４ｃを下方位置に配して、例えば図２のごとく船縁の被取付部Ｆに突片１２の平板部１２ｂと締付けハンドル１４の押え板１４ｃとを嵌め入れる。その後、ノブ１４ａを手で回して雄ねじ部１４ｂを上昇させ、平板部１２ｂと押え板１４ｃとで被取付部Ｆを挟んで締め付けることによって、被取付部Ｆに取付け固定具１が固定,セットされる。
【００１６】
挟着具２は一対のオーバル形プレート体２１,２２からなり、両プレート体２１,２２に係る両プレート２１Ｐ,２２Ｐの一端寄りに前記球体１１ｃの球径よりも一回り小さな円孔２１ａ,２２ａを開孔すると共に、両プレート２１Ｐ,２２Ｐの他端寄りに主部材４に設ける球状体５１(後述)の球径よりも一回り小さな円状孔２１ｂ,２２ｂを開孔する。図９に円状孔２１ｂ,２２ｂを示すが、球状体５１の球帯に一致する椀状窪み２１ｂ１,２２ｂ１の円状孔２１ｂ,２２ｂがプレート２１Ｐ,２２Ｐに形成され、該椀状窪みがつくる球径と球状体５１の球径を等しくする。椀状窪み２１ｂ１,２２ｂ１がつくられることによって、プレート２１Ｐ,２２Ｐと球状体５１との接触面積が大きくなる。円孔２１ａ,２２ａについても円状孔２１ｂ,２２ｂと同じようにする。球状体５１(又は球体１１ｃ)の球帯に一致する椀状窪みの円状孔２１ｂ,２２ｂ（又は円孔２１ａ,２２ａ）がプレート２１Ｐ,２２Ｐに形成されると、図９（ハ）のごとく球状体５１(又は球体１１ｃ)に当てたプレート２１Ｐ,２２Ｐを止具３（後述）で締付ける際、より少ない力で締付け力を高める。
さらに一のプレート２１Ｐには円孔２１ａと円状孔２１ｂの中間域板部に雌ねじ部２１ｄが設けられる。一方、他のプレート２２Ｐには雌ねじ部２１ｄに対応する位置に通孔２２ｃが設けられる(図６)。符号２１ｃは筒内面に雌ねじ部２１ｄを形成するボスを示す。
【００１７】
止具３は、ねじ回し用把手３１の中央部位に、雌ねじ部２１ｄに螺合する雄ねじ部３２が立設する雄ねじ部材である(図６)。
一対のプレート体２１,２２の両円状孔２１ｂ,２２ｂの間に球状体５１を配すると共に両円孔２１ａ,２２ａの間に球体１１ｃを配して、通孔２２ｃに貫通させた雄ねじ部３２を雌ねじ部２１ｄに螺合させることにより、一対のプレート体２１,２２が球状体５１及び球体１１ｃを挟着保持するようにしている。両円孔２１ａ,２２ａに球体１１ｃの一部が嵌り、両円状孔２１ｂ,２２ｂに球状体５１の一部が嵌る。両プレート２１Ｐ,２２Ｐ間に球体１１ｃ,球状体５１を挟み、止具３を用いて締付け保持することによって、球状体５１、さらにこれに一体化する主部材４が取付け固定具１に連結される。
【００１８】
主部材４は基端部５と主要部６とを備える(図１)。主部材４には球状体５１を突出形成する取付け用基端部５から、先端側へ向けて板状主要部６が設けられる。
本実施形態は、主要部６が平板部分６ａで形成され、その平板部分６ａが基端部５へと延びて基端部５のベース部分５ａにもなっている。図３のごとく平面視長方形の主要部６と、該主要部６から基端部５へ向けて長方形の縦長さを徐々に縮めて略台形の形に延設される基端部５のベース部分５ａと、を備えた平板部分６ａである。主部材４の長手方向（ここでは、基端部ベース部分５ａからスリット６０(後述)の開口６０ａがある主要部６先端へ向かう板面方向）に対し、前記基端部５のベース部分５ａの板面から垂直に突出する軸部材５０を介して前記球状体５１が設けられる(図４)。短軸の軸部材５０の突端に球状体５１を一体化したその軸部材５０の基端部分には雄ねじ部５０１が設けられ、該雄ねじ部が基端部５のベース部分５ａに形成した雌ねじ孔５９に螺着一体化される。
かくして、図２のごとく船縁等の被取付部Ｆに固着された取付け固定具１に、挟着具２,止具３を介して、主部材４が取着される。
【００１９】
そして、前記主部材４には、その先端縁４１から主要部６に入り込むスリット６０が形成される(図３)。主部材４の先端縁４１から基端部５へ向けて、切欠幅を一定にした細長のスリット６０が切欠形成される。スリット６０はイカ角９の軸部９１が遊挿状態になる切欠幅(スリット幅Ｗ)とする。各スリット６０をつくる主要部６の両スリット縁６１沿いに、両板幅を等しくして、主要部６に対しその板幅方向が起立するようにした帯板部７が一対設けられる。図１,図３のごとく両スリット縁６１沿いに一対の帯板部７が対向配設され、さらに基端部５側の両帯板部７の端部をつなぐアール部Ｒが設けられる。一対の帯板部７は図２のごとく主要部６に対し起立する板幅部分が、上方に向けスリット６０の中央側へ内方傾斜するよう設けられる(図７)。スリット縁６１から前記両帯板部７がその上縁部分７１に向けて両帯板部７間の幅を狭めるよう内方へ傾倒する。帯板部７で、イカ角９の細長く伸びる針部９２の中間部位をより円滑に受け支えられるようにするためである。
【００２０】
本実施形態は、主要部６を平板部分６ａにして、スリット６０が互いの間隔をあけて平行に複数(ここでは５個)形成され、且つ各スリット６０をつくる主要部６の両スリット縁６１沿いに一対の帯板部７及びアール部Ｒが設けられる。符号６２はアール部Ｒ寄りの帯板部７間に張り出す主要部６の出っ張り部分を示す。出っ張り部分６２を設けるのは、イカ角９の海中投入時、釣糸Ｍに引っ張られたイカ角９が傾倒し、その針部９２が角部Ｒに引っ掛らないようにするためである。
そうして、イカ角９の軸部９１を開口６０ａ側から両帯板部７間及びスリット６０に遊挿し、且つ一対の帯板部７の両上縁部分７１が、軸部９１の先端部から外方に向け軸部基端９１ａ側へ下降傾斜する針部９２(複数段の針部９２の場合は最下段針部９２ａ)の針長手方向で、その中間部位に当接してイカ角９を受け支えるよう、両帯板部７が配設される。詳しくは、帯板部７の両上縁部分７１間の幅Ｗ(図３)が、イカ角９の軸部９１から放射線状に広がる針部９２の平面視最大長さＤの１／２〜２／３の範囲にある(図７)。帯板部７は、イカ角９の最下段針部９２ａ(本実施形態は上段側針部９２ｂ,下段側針部９２ａのうち下段側針部９２ａ)に係る針長の中間部分に当接してイカ角９を受け支えたとき、針部９２の先端が帯板部７や主要部６の板面に当たらない板幅(高さ)を有するよう設定される。ここで、スリット縁６１から両帯板部７の上縁部分７１に向け両帯板部７が幅を狭めて内方へ傾倒すると、図７のごとく下段側針部９２ａに係る針長の中間部分へ、帯板部７の両上縁部分７１を簡単に侵入,当接させてイカ角９を支持でき、より好ましくなる。
斯かるイカ角投入機Ｐは、例えば主部材４に係る板状主要部６が図２(イ)の先上り状態にして、イカ角９が主部材４に取り込まれる。また、図２(ロ)の先下がり状態にして、イカ角９がスムーズに海中へ投入されることとなる。
【００２１】
次に、イカ角投入機Ｐの一使用方法を詳述する。イカ釣りの仕掛けは、図５のような釣糸Ｍの先端にオモリＧを固着すると共に、釣糸Ｍの途中に略一定間隔を保って、ハリスＨを介してイカ角９が複数取付けられる。イカ角９はその下端に設けられた円形リング９３(釣糸結着用リング)とハリスＨの一端とが結着され、該ハリスＨの他端と釣糸Ｍとが結着される。
イカ角投入機Ｐは、球体１１ｃと球状体５１とが挟着具２,止具３によって挟着保持され、取付け固定具１と主部材４が図１のごとく連結一体となっている。
図２のように、船縁等の被取付部Ｆを突片１２と押え板１４ｃとで挟んだ後、締付けハンドル１４を回して被取付部Ｆを締め付けることにより、取付け固定具１が船縁等に固定される。図２の紙面左方にイカ角９が投入される海面が広がる。そして、必要に応じて止具３を少し緩めた状態にして、主部材４が基端部５から主要部６が在る先端側へ向けて水平に又は上昇傾斜するよう調整配置する。また、主部材４,挟着具２を必要に応じて前後左右に調整した後、止具３を締め付け、主部材４を所望の状態(例えば図２の状態)に安定保持する。
【００２２】
続いて、図５のように釣糸Ｍの基端側に在るイカ角９の方から、順次その軸部９１を、主部材先端縁４１側の方(スリットの開口６０ａの方)からスリット６０,一対の帯板部７間に遊挿し、帯板部７の上縁部分７１が、イカ角９の最下段針部９２ａの針長手方向で、その中間部位に当接して、各イカ角９を受け支えるようにする。この時点では、イカ角９を主部材４に確実に取り込めるよう、該主部材４を図２(イ)の先上りにするのが望ましい。傾斜角度は、止具３の雄ねじ部３２を適度な締め具合にしておくことで、簡単に変えることができる。一対の帯板部７間の幅Ｗが、放射線状に広がる針部９２の平面視最大長さＤの約１／２〜２／３の範囲にあるので、帯板部７の両上縁部分７１が針部９２に係る針長のほぼ中間部位に点接触で当接してイカ角９を受け支える。図５では、一対の帯板部７で７本のイカ角９を受け支える。釣糸Ｍに７本を越えるイカ角９が取付けられている場合は、隣のスリット６０,一対の帯板部７に担わせる。以降、この作業を繰り返し、オモリＧに一番近いイカ角９を一対の帯板部７で受け支えたら、イカ角投入機Ｐへのイカ釣り仕掛けのセットが完了する。
【００２３】
後は、釣り場で、オモリＧを手に持って海へ投げ入れれば、イカ釣りの開始となる。この時点では、イカ角９がスムーズに出ていくよう、主部材４を図２(ロ)の先下がりにするのが望ましい。オモリＧの投入で、釣糸Ｍにつながれた各イカ角９は、オモリＧに近い側のイカ角９から順次放出され、主部材４からスムーズに離れて海中に引き込まれ、イカ釣りに供される。
一回目のイカ釣りを終え、釣ったイカを取り込みながら、前述と同じようにする。釣糸Ｍの基端側に在るイカ角９の方から、順次その軸部９１を主部材先端縁４１側のスリット開口６０ａよりスリット６０,一対の帯板部７間へ遊挿し、帯板部７の上縁部分７１がイカ角９の最下段針部９２ａの針長手方向でその中間部位に当接するようにして、帯板部７で各イカ角９を受け支え、セットする。ここで、イカ墨でイカ角９が汚れている場合は、各イカ角９を主部材４にセットした状態で、歯ブラシ等でこすって取り除く。その後、オモリＧを手に持って海へ投げ入れれば、再び、イカ釣りの開始となる。
【００２４】
このように構成したイカ角投入機Ｐは、イカ角９の軸部９１を両帯板部７間及びスリット６０に遊挿させて、一対の帯板部７の両上縁部分７１が最下段針部９２ａの針長手方向でその中間部位に両帯板部７が当接することによって該イカ角９を受け支えるので、イカ角９が主部材４の帯板部７に点接触で載るだけの構造となり（図７の円内拡大図）、オモリＧの投入時、各イカ角９が主部材４から何の抵抗もなく円滑に解き放たれていく。
【００２５】
イカ角９がハリスＨを介して釣糸Ｍに所定ピッチで複数取付けられていても、主部材先端縁４１から基端部５へ向けて、切欠幅を一定にして細長に切欠形成されるスリット６０と、両スリット縁６１沿いの主要部６に、該主要部６に対しその板幅方向が起立するようにして一対の帯板部７が設けられるので、複数在るイカ角９も軸部９１を両帯板部７間及びスリット６０に図５のように順次遊挿させて、帯板部７で複数のイカ角９を詰めた一列状態にして簡単に受け支えることができる。特許文献１のようなマグネット装置や特許文献２の複雑なイカズノ投入筒がいらない。主部材４を図２(イ)のごとく先上りにすれば、イカ釣り時に両帯板７に受け支えられた複数のイカ角９が安定保持される。しかも、特許文献２、３のように針部９２の針先端がパイプ内面に当たらないので、長期使用しても、針部９２が釣針としての機能を損なうこともない。
そして、複数のイカ角９を図５のように立てた状態で詰めて、帯板部７上縁の長手方向に一列に並べることができるので、イカ角９のセット個数が多くなり、イカ角投入機Ｐは従来品に比べコンパクト化できる。
【００２６】
さらに、本実施形態のごとく、主要部６を平板部１２ｂにして、スリット６０が互いの間隔をあけて平行に複数形成され、且つ各スリット６０をつくる主要部６の両スリット縁６１沿いに一対の帯板部７が設けられると、釣糸Ｍに数多くのイカ角９を取付けた仕掛けにも難なく対応できる。例えば、図５のように７本のイカ角９をセットできるスリット６０,帯板部７が、主要部６に図２のごとく五箇所設けられると、イカ角９を３５個取付けた仕掛けにも何の問題なく対応できる。イカ角９を多く取付けた仕掛けに対しても、主要部６を平板部分６ａにして、間隔をあけてスリット６０を複数形成し、且つ各スリット６０の両スリット縁６１沿い主要部６に帯板部７を設けるだけで足りる。イカ角９の取付け個数が多い場合のイカ角投入機Ｐは、従来品に比べ一層のコンパクト化が図れる。そうして、主部材４を図２(ロ)のように先下がりにすれば、海へのオモリＧの投入で、各イカ角９が主部材４から海中へスムーズに移行する。
【００２７】
また、イカ角９は、二度目のオモリＧの投入時に先立ってイカ墨で汚されている部分の掃除や、イカ釣りを終えて収納した状態下での掃除が必要になるが、各軸部９１を各スリット６０,帯板部７間に順次遊挿させ、帯板部７の上縁に複数のイカ角９を一列に並べて係止させた図５の仕掛けセット状態下、歯ブラシ等でこすって難なく除去できる。特許文献１,２や文献３と違って、イカ角９を主部材４に収納した状態で掃除が簡単にできる。
【００２８】
加えて、本イカ角投入機Ｐはコンパクト化でき、持ち運びに便利になっている。イカ釣りを終えて、イカ角投入機Ｐを持って帰る際など、移動が楽になる。主部材４の長手方向に対し、基端部５から垂直に突出する軸部材５０を介して球状体５１を設けて、一対のプレート２１Ｐ,２２Ｐの両円状孔２１ｂ,２２ｂの間に球状体５１を配すると共に両円孔２１ａ,２２ａの間に球体１１ｃを配して、通孔２２ｃに貫通させた雄ねじ部３２を雌ねじ部２１ｄに螺合させることにより、一対のプレート２１Ｐ,２２Ｐが球状体５１及び球体１１ｃを挟着保持する構成であるので、不使用時は、止具３を弛めるだけで簡単にコンパクト化できる。イカ角投入機Ｐをわざわざ分解することなく、止具３を少し弛めれば、取付け固定具１の基軸１０と挟着具２のプレート２１Ｐ,２２Ｐと主部材４の主要部６を、図１０のごとく逆Ｕ字状に折り曲げて、高さ方向だけでなく横幅が小さくなりコンパクト化できる(図１０)。イカ角投入機Ｐを小さく折り畳めるので、運搬,移動時だけでなく、家庭での保管にも役立つ。本イカ角投入機は、従来の文献３のパイプを並べて作製した製品に比べて重量を大幅に減らすことが可能であり、且つ嵩張らないメリットを有する。
【００２９】
また、一対のプレート２１Ｐ,２２Ｐの両円状孔２１ｂ,２２ｂの間に球状体５１を配すると共に両円孔２１ａ,２２ａの間に球体１１ｃを配して、通孔２２ｃを貫通した止具３の雄ねじ部３２を雌ねじ部２１ｄに螺合させ、止具３で両プレート２１Ｐ,２２Ｐが寄せ合うよう締め付けて、球状体５１及び球体１１ｃを挟着保持するので、止具３が多少緩んでも、取付け固定具１から挟着具２,止具３、さらに主部材４が外れ落ちることがない。止具３,プレート２１Ｐ,２２Ｐで球状体５１及び球体１１ｃを挟着保持した状態下、球状体５１や球体１１ｃはそれらの凸状球面部が円状孔２１ｂ,２２ｂ,円孔２１ａ,２２ａに入り込んでおり、仮に止具３に緩みがあっても球状体５１が円状孔２１ｂ,２２ｂに嵌り、円孔２１ａ,２２ａに球体１１ｃが嵌っている状態が保たれる。大切な主部材４等を海に落とすことがなく、その構成から極めて優れものになっている。
【００３０】
さらに、止具３の雄ねじ部３２を少し緩めれば、取付け固定具１に対する主部材４の取付け角度調整が楽に行える。一対のプレート２１Ｐ,２２Ｐの両円状孔２１ｂ,２２ｂの間に球状体５１を配すると共に両円孔２１ａ,２２ａの間に球体１１ｃを配して、通孔２２ｃを貫通した止具３の雄ねじ部３２を雌ねじ部２１ｄに螺合させることにより、一対のプレート２１Ｐ,２２Ｐが球状体５１及び球体１１ｃを挟着保持する構造であるので、止具３の雄ねじ部３２を少し緩めるだけで球体１１ｃ,球状体５１が回動自在になり、取付け固定具１に対する主部材４の角度調整が楽に行える。プレート２１Ｐ,２２Ｐに球状体５１(又は球体１１ｃ)の球径に等しい椀状窪みを形成して、球状体５１(又は球体１１ｃ)とプレート２１Ｐ,２２Ｐの接触面積が大きくなっているので、少し緩めても適度な締付け力があり、主部材４の微妙な角度調整も難なくこなすことができる。さらにいえば、雄ねじ部３２を少し緩めるだけで挟着具２のプレート２１Ｐ,２２Ｐも自在に動かすことが可能で、プレート２１Ｐ,２２Ｐの長さ範囲ではあるが、主部材４を上下左右方向に位置調整もできるようになるなど、本イカ角投入機Ｐは数々の優れた効果を発揮する。
【００３１】
（２）実施形態２
本実施形態は、図１１〜図１４ごとくのイカ角投入機Ｐで、図１１はその主部材の斜視図、図１２は主部材の平面図、図１３は(イ)がイカ角をイカ角投入機へ挿入する際の一姿態を示す概略正面図、(ロ)が投入時のイカ角投入機の一姿態を示す概略正面図、図１４は(イ)が舟の移動時におけるイカ角投入機の一姿態を示す概略正面図、(ロ)が持ち運び時におけるイカ角投入機の一姿態を示す概略正面図を示す。
【００３２】
主部材４は取付け用基端部５から先端側へ向けて板状主要部６が設けられたイカ角投入器(釣具)で、ここでは、主要部６が所定板厚(肉厚)の図１１のような長尺円筒形パイプ状部材とする。主部材４の先端縁４１から基端部５へ向けて、スリット６０が切欠幅を一定にして細長に切欠形成される。本実施形態は１本のスリット６０とする。スリット６０をつくる主要部６の両スリット縁６１沿いには、一対の帯板部７が両板幅を等しくして、主要部６に対しその板幅方向が起立するようにして設けられる。スリット縁６１周りの主要部６は曲板状になっているが、主要部６の両スリット縁６１に、実施形態１と同様の一対の帯板部７が立設する。そして、イカ角９の軸部９１を両帯板部７間及び前記スリット６０に遊挿し、且つ一対の該帯板部７の両上縁部分７１が、該軸部９１の先端部から外方に向け軸部基端９１ａ側へ下降傾斜する最下段針部９２ａの針長手方向でその中間部位に当接して該イカ角９を受け支えるよう、両帯板部７が配設される。
【００３３】
本実施形態の主部材４に係る主要部６は、先端寄りと基端部５側をパイプ状体のままで残し、その他の上側半割り領域を図示のごとく切欠く。符号６３はその切欠きで残った部分で、主部材４の側面視円形部を形成しており主部材４の強度を高める。基端部５は短円柱状部で、その外周面を一部カットし段差面５３を形成する(図１２)。段差面５３に軸部材５０を立設固定し、軸部材５０の先端に球状体５１を一体形成する。
他の構成は実施形態１と同様で、その説明を省く。実施形態１と同一符号は同一又は相当部分を示す。
本イカ角投入機も、実施形態１と同様、イカ角９の挿入時は、イカ角９を確実に取り込めるよう、主部材４が図１３(イ)のごとく先上りになるのが好ましい。イカ角９の投入時は、イカ角９がスムーズに出て行くよう、主部材４が図１３(ロ)のごとく先下がりになるのが好ましい。また、舟の移動時は、舟の揺れでもイカ角９が落ちないよう、主部材４の先端が図１４(イ)のごとく上向きになるのが好ましい。持ち運び時は、コンパクト化されるよう、図１４(ロ）のごとく逆Ｕ字状に折畳むのが好ましい。
【００３４】
このように構成したイカ角投入機Ｐは、主要部６にスリット６０を複数形成できないものの、主要部６がパイプ状で長くなる分、イカ角９を少なくとも１５本は収納でき優れものになっている。さらに、主部材４が長尺円筒形パイプ状部材からなるので、図示のごとくデザイン的に優れる。加えて、円筒形部分が残った箇所６３だけでなく、半割り部分の開放箇所も、セットされたイカ角９を両側から主要部６が囲う格好になるので、実施形態１のものよりも安全性向上に優れたイカ角投入機Ｐとなる。他は実施形態１と同様の効果が得られる。
【００３５】
（３）その他
本発明はイカ角投入機Ｐであるが、その取付け固定具１だけを切り離しても、種々の釣具（釣り器を含む）の取付け固定具１として有用なものになる。
従来の釣具の取付け固定具１として、例えば特開２００３−２３９４０公報にはクランプが開示されている。
しかし、上記公報技術は移動時の持ち運びや不用時の収納の際、コンパクト化が図れず、また収納スペースもさほど小さくできなかった。また、イカ釣り針保持具の専用取付け固定具１になっていた。
【００３６】
これに対し、本取付け固定具１は、主部材４さえ交換すれば、イカ角投入機Ｐの主部材１にとどまらず例えば図１５のごとく釣竿ＲＤ等の釣具にも適用できる。釣竿ＲＤ等の釣具向け取付け固定具１としても使用できる優れものになっている。
【００３７】
ここで、釣竿ＲＤ用取付け固定具１として使用する場合、前記イカ角投入機Ｐ用主部材４に代えて、図１５の釣竿ＲＤ用主部材４が用いられる。すなわち、取付け固定具１は汎用釣具を取着するための主部材４付き取付け固定具１として用いることができる。例えば、釣竿ＲＤを船縁に固定する主部材４付き取付け固定具１とする場合、該取付け固定具１に、実施形態１,２のイカ角投入器たる主部材４に代えて、釣竿ＲＤ用主部材４を用いる。本主部材４付き取付け固定具１は、イカ角投入機Ｐと同様、取付け固定具１,挟着具２,止具３,主部材４を具備するが、主部材４以外は実施形態１と同様で、その説明を省く。
【００３８】
釣竿ＲＤ用主部材４は、取付け用基端部５から先端側へ向けて軸状主要部(6)が設けられた釣具で、通常、主要部６が在る先端側へ向けて上昇傾斜するよう配される。主部材４に係る主要部６は円筒形パイプ状部材からなる。主要部６に係るパイプ状部材のパイプ内径は釣竿ＲＤの基端部の外径よりも多少大きく設定される。パイプ内に釣竿ＲＤを差込み固定するためである。基端部５は短円柱部で、その外周面を一部カットし段差面５３を形成する。段差面５３に短軸の軸部材５０を立設固定し、軸部材５０の先端に球状体５１を一体形成する。
【００３９】
次に、釣竿ＲＤに適用した釣具向け取付け固定具１の一使用方法を説明する。取付け固定具１は球体１１ｃと球状体５１とが挟着具２,止具３によって挟着保持され、取付け固定具１と主部材４が図示のごとく連結一体となっている。
船縁等の被取付部Ｆを突片１２と押え板１４ｃとで挟んだ後、締付けハンドル１４を回して被取付部Ｆを締め付けることにより、取付け固定具１を船縁等に固定する(図２参照)。そして、必要に応じて止具３を少し緩めながら、主部材４が基端部５から主要部６が在る先端側へ向けて上昇傾斜するよう調整配置する。また、主部材４,挟着具２を必要に応じて前後左右に調整した後、止具３を締め付け、主部材４を所望の状態(例えば図１５の状態)に安定保持する。
【００４０】
後は、釣り場で、主部材４のパイプ内へ釣竿ＲＤの基端部を挿入するようにして、釣竿ＲＤを主要部６に挿着,保持させるだけである。釣竿ＲＤは主部材４を介して取付け固定具１に安定保持される。
【００４１】
このように構成した主部材４付き釣具用取付け固定具１は、持ち運び時にコンパクト化でき便利になっている。主部材４の長手方向に対し、基端部５から垂直に突出する軸部材５０を介して球状体５１を設けて、一対のプレート２１Ｐ,２２Ｐの両円状孔２１ｂ,２２ｂの間に球状体５１を配すると共に両円孔２１ａ,２２ａの間に球体１１ｃを配して、通孔２２ｃに貫通させた雄ねじ部３２を雌ねじ部２１ｄに螺合させることにより、一対のプレート２１Ｐ,２２Ｐが球状体５１及び球体１１ｃを挟着保持する構成であるので、不使用時は、止具３を弛めるだけで簡単にコンパクト化できる。主部材４と取付け固定具１とをわざわざ分解することなく、止具３を少し弛めれば、取付け固定具１の基軸１０と挟着具２のプレート２１Ｐ,２２Ｐと主部材４の主要部６を逆Ｕ字状に折り曲げて、高さも横幅も小さくしてコンパクト化できる(図１０参照)。使用時の約１／２の高さになり収納スペースが小さくなる。主部材４付き取付け固定具１のままでも小さく折り畳めるので、運搬,移動時だけでなく、家庭での保管にも役立つ。
また、止具３,プレート２１Ｐ,２２Ｐで球状体５１及び球体１１ｃを挟着保持した状態下、球状体５１や球体１１ｃはそれらの凸状球面部が円状孔２１ｂ,２２ｂ,円孔２１ａ,２２ａに入り込んでおり、仮に止具３に緩みがあっても球状体５１が円状孔２１ｂ,２２ｂに嵌り、円孔２１ａ,２２ａに球体１１ｃが嵌っている状態が保たれる。大切な主部材４等を海に落とすことがなく、その構成から極めて優れものになっている。
さらに、止具３の雄ねじ部３２を少し緩めれば、取付け固定具１に対する主部材４の取付け角度調整が楽に行える。一対のプレート２１Ｐ,２２Ｐの両円状孔２１ｂ,２２ｂの間に球状体５１を配すると共に両円孔２１ａ,２２ａの間に球体１１ｃを配して、通孔２２ｃに貫通させた止具３の雄ねじ部３２を雌ねじ部２１ｄに螺合させることにより、一対のプレート２１Ｐ,２２Ｐが球状体５１及び球体１１ｃを挟着保持する構造であるので、止具３の雄ねじ部３２を少し緩めるだけで球体１１ｃ,球状体５１が回動自在になり、取付け固定具１に対する主部材４の角度調整が行える。それでいて、円孔２１ａ,２２ａ,円状孔２１ｂ,２２ｂが球体１１ｃ,球状体５１の球径に一致させた椀状窪みになっているので、プレート２１Ｐ,２２Ｐと球体１１ｃ,球状体５１の接触面積が大きくなって、止具３を少し弛めた状態にしても一定の締付け力を発揮する。角度調整後、その角度を維持でき、微調整が実施し易くなる。さらにいえば、雄ねじ部３２を少し緩めるだけで挟着具２のプレート２１Ｐ,２２Ｐも自在に動かすことが可能で、プレート２１Ｐ,２２Ｐの長さ範囲であるが、主部材４を上下左右方向に位置調整もできるようになるなど、いくつもの優れた効果を発揮する。
【００４２】
尚、本発明においては前記実施形態に示すものに限られず、目的,用途に応じて本発明の範囲で種々変更できる。取付け固定具１,挟着具２,止具３,主部材４,基端部５,主要部６,帯板部７,イカ角９等の形状,大きさ,個数,材料,材質等は用途に合わせて適宜選択できる。
【符号の説明】
【００４３】
１                  取付け固定具
１１ｂ              軸体
１１ｃ              球体
２                  挟着具
２１，２２          プレート体
２１Ｐ，２２Ｐ      プレート
２１ａ，２２ａ      円孔
２１ｂ，２２ｂ      円状孔
２１ｄ              雌ねじ部
２２ｃ              通孔
３                  止具
３２                雄ねじ部
４                  主部材
４１                先端縁
５                  基端部
５０                軸部材
５１                球状体
６                  主要部
６０                スリット
６０ａ              開口（スリット開口）
６１                スリット縁
７                  帯板部
７１                上縁部分
９                  イカ角
９１                軸部
９２                針部
【図１】
2013000082.tif 000003
【図２】
2013000082.tif 000004
【図３】
2013000082.tif 000005
【図４】
2013000082.tif 000006
【図５】
2013000082.tif 000007
【図６】
2013000082.tif 000008
【図７】
2013000082.tif 000009
【図８】
2013000082.tif 000010
【図９】
2013000082.tif 000011
【図１０】
2013000082.tif 000012
【図１１】
2013000082.tif 000013
【図１２】
2013000082.tif 000014
【図１３】
2013000082.tif 000015
【図１４】
2013000082.tif 000016
【図１５】
2013000082.tif 000017